(57)【要約】【課題】フィルムロールを高く持ち上げる必要が無く、フィルムロールのセットが容易なストレッチ包装機を提供するものである。【解決手段】フィルムロールを回転自在に支持するフィルムロール支持部が設けられたキャリッジと、このキャリッジと被包装物とを相対的に回転させる回転機構を備え、フィルムロール支持部にフィルムロールを搭載し、キャリッジと被包装物とを相対的に回転させながら、フィルムを被包装物に繰り出すとともに、キャリッジを昇降させることにより被包装物にフィルムを巻き付ける包装機において、フィルムロール支持部はキャリッジに固着された下部コアーとこの下部コアーに回動可能に軸着されたシャフトとこのシャフト上端に設けられた上部コアーからなる。【選択図】        図２
2004168382.tif 000002
【特許請求の範囲】
【請求項１】
フィルムロールを回転自在に支持するフィルムロール支持部が設けられたキャリッジと、このキャリッジと被包装物とを相対的に回転させる回転機構を備え、フィルムロール支持部にフィルムロールを搭載し、キャリッジと被包装物とを相対的に回転させながら、フィルムを被包装物に繰り出すとともに、キャリッジを昇降させることにより被包装物にフィルムを巻き付ける包装機において、フィルムロール支持部はキャリッジに固着された下部コアーとこの下部コアーに回動可能に軸着されたシャフトとこのシャフト上端に設けられた上部コアーからなることを特徴とするストレッチ包装機。
【発明の詳細な説明】
【０００１】
【発明の属する技術分野】
本発明は、パレット積みされた複数個の荷物に、プラスチックフィルムを延伸させながら巻き付けて包装するストレッチ包装機に関する。
【０００２】
【従来の技術】
【特許文献１】特開２００１−１５８４０１号公報
従来、ストレッチ包装機のフィルムロールは、図４に示すように包装機のキャリッジ部分にフィルムロールを回転自在に支持するフィルムロール支持部が立設されていた。このフィルムロール支持部は、キャリッジのベースプレートに下部コアーが固着されこの下部コアー上にシャフトが立設されこのシャフトの上端に上部コアーが設けられたものが知られていた。
又、本出願人が特開２００１−１５８４０１号公報に於いてフィルムセットを容易にするためにフィルムロールからフィルム先端を取り出しやすくしたストレッチ包装機を提案しているが、フィルムロールの装着を容易にするためのストレッチ包装機は見当たらない。
【０００３】
【発明が解決しようとする課題】
しかしながら上記の如きストレッチ包装機にフィルムロールをセットするには、フィルムロールを上部コアーの上まで持ち上げてフィルムロール支持部の上からフィルムロール挿入せねばならず、重量の大きいフィルムロールを高く持ち上げねばならないという問題があった。
【０００４】
そこで本発明者は従来の欠点に鑑み鋭意研究の結果、フィルムロールを高く持ち上げる必要が無く、フィルムロールのセットが容易なストレッチ包装機を提供するものである。
【０００５】
【課題を解決するための手段】
本発明ストレッチ包装機は、フィルムロールを回転自在に支持するフィルムロール支持部が設けられたキャリッジと、このキャリッジと被包装物とを相対的に回転させる回転機構を備え、フィルムロール支持部にフィルムロールを搭載し、キャリッジと被包装物とを相対的に回転させながら、フィルムを被包装物に繰り出すとともに、キャリッジを昇降させることにより被包装物にフィルムを巻き付ける包装機において、フィルムロール支持部はキャリッジに固着された下部コアーとこの下部コアーに回動可能に軸着されたシャフトとこのシャフト上端に設けられた上部コアーからなるもので、フィルムロールの着脱時にフィルムロール支持部を垂直状態から水平状態に倒すことにより、フィルムロールを水平状態で横から挿入することができるので、フィルムロールを高く持ち上げる必要が無く、作業が楽である。
【０００６】
【発明の実施の形態】
以下、図面を参照しながら本発明に付いて説明する。
図１は本発明ストレッチ包装機の実施形態の一例を示す斜視図である。
図に於いて、ベースフレーム１に下端が固定されたマスト２、ターンテーブル３、キャリッジ４、昇降機構５、フィルム繰出装置６、及びコントロールボックスなどを主体として構成されている。なお、図１に示すストレッチ包装機には、ターンテーブル３上に載置した荷物の回転時における荷崩れを防止するための押え板（プラテン）がマスト２の上部に設置されれば好適である。
【０００７】
ターンテーブル３はベースフレーム１の先端部に回転自在に支持されている。このターンテーブル３に回転力を与えるテーブル回転モータは、ベースフレーム１のマスト２側の端部に設置されている。
【０００８】
キャリッジ４は、マスト２に上下動自在に支持されており、昇降機構５によって上下動が与えられる。昇降機構５は、キャリッジ昇降モータと、そのモータの回転軸にプーリ等を介して巻きかけられたベルトとからなり、キャリッジ昇降モータの回転によりベルトが上下に動いてキャリッジ４を上昇・下降するように構成されている。
【０００９】
フィルム繰出装置６は、前記したキャリッジ４に搭載されており、繰出ローラ６１と延伸ローラ６２の２本のローラ及びフィルムロール支持部７が設けられている。フィルムロール支持部７はキャリッジ４のベースプレート４１に固着された下部コアー７１とこの下部コアー７１上に設けられたシャフト７２とこのシャフト７２上端に設けられた上部コアー７３からなっている。
【００１０】
図２はフィルムロール支持部７にフィルムロールが装着された状態を示す透視図であり、下部ロールの正面壁にはシャフト７２下端に設けられら回動軸７２１が上下動できる巾を有する回動窓７１１が設けられている。下部コアー７１の右側壁には上部コアー７３とシャフト７２が持ち上げられ、回動軸７２１が回動窓７１１の上端に達したときにシャフト７２が右側へ倒せるように破線で図示した回動溝７１２が設けられている。
【００１１】
図３は本発明ストレッチ包装機において、フィルムを使用しきってから新しいフィルムを装着する様子を図示した模式図である。
図に於いて、フィルムロール支持部７にはフィルムロールの紙管が取り付けられているが、まずこの紙管を上方へ抜き取り、フィルムロール支持部７の上部コアー７３とシャフト７２を上に持ち上げ、シャフト７２下端の回動軸７２１が下部ロールの回動窓７１１の上端に達したところで上部コアー７３をシャフト７２とともに右側へ倒すとシャフト７２が回動溝７１２の底辺に当たり水平となる。この上部コアー７３に新しいフィルムロールを横方向から挿入し、フィルムロールを上部コアー７３とともに垂直方向に起こすとシャフト７２が回動軸７２１が回動窓７１１の下端に当たるまで下へ下がり、フィルムロールが垂直にセットされる。
【００１２】
本発明ストレッチ包装機におけるフィルムロール支持部７は、下部コアー７１とこの下部コアー７１に下端を軸着されたシャフト７２とこのシャフト７２の上端に設けられた上部コアー７３からなり、下部コアー７１及び上部コアー７３はフィルムロールの芯となされている紙管の内径と略等しい外径となされ、鋼などの金属から旋盤加工などで製作されている。又、その表面にはニッケルや亜鉛などの鍍金が施されている。シャフト７２は鋼などの金属ロッド或いは鋼管などの金属管から製作され、その表面にはニッケルや亜鉛などの鍍金が施されている。
【００１３】
又、前記実施例に於いて、フィルムロール支持部７の実施形態の一例についてふれたが、フィルムロール支持部７の形態はこの例に限るものではなく、上部コアー７３が下部コアー７１に対し回動可能で、垂直姿勢と水平姿勢をとることが出来るようにシャフト７２下部が下部コアー７１に対して回動可能に軸着されていればよい。
【００１４】
【発明の効果】
上述の如く、本発明ストレッチ包装機は、フィルムロールを回転自在に支持するフィルムロール支持部が設けられたキャリッジと、このキャリッジと被包装物とを相対的に回転させる回転機構を備え、フィルムロール支持部にフィルムロールを搭載し、キャリッジと被包装物とを相対的に回転させながら、フィルムを被包装物に繰り出すとともに、キャリッジを昇降させることにより被包装物にフィルムを巻き付ける包装機において、フィルムロール支持部はキャリッジに固着された下部コアーとこの下部コアーに回動可能に軸着されたシャフトとこのシャフト上端に設けられた上部コアーからなるもので、フィルムロールの着脱時にフィルムロール支持部を垂直状態から水平状態に倒すことにより、フィルムロールを水平状態で横から挿入することができるので、フィルムロールを高く持ち上げる必要が無く、作業が楽であり、上部コアーの水平位置で、フィルムロールを挿入し、挿入状態でフィルムロールを起こすだけでフィルムロールを垂直姿勢にセットできる。
【図面の簡単な説明】
【図１】本発明ストレッチ包装機の実施形態の一例を示す斜視図である。
【図２】本発明ストレッチフィルム包装機に於いて、フィルムロール支持部にフィルムロールが装着された状態を示す透視図である。
【図３】本発明ストレッチ包装機において、フィルムを使用しきってから新しいフィルムを装着する様子を図示した模式図である。
【図４】従来のストレッチ包装機の一例を示す斜視図である。
【符号の説明】
１    ベースフレーム
２    マスト
３    ターンテーブル
４    キャリッジ
４１    ベースプレート
５    昇降機構
６    フィルム繰出装置
６１    繰出ローラ
６２    延伸ローラ
７    フィルムロール支持部
７１    下部コアー
７１１    回動窓
７１２    回動溝
７２    シャフト
７２１    回動軸
７３    上部コアー
８    フィルムロール
８１    紙管
８２    フィルム
【図１】
2004168382.tif 000003
【図２】
2004168382.tif 000004
【図３】
2004168382.tif 000005
【図４】
2004168382.tif 000006